(57)【要約】      （修正有）【課題】鋳造による変異で接合が変形されても、簡単な処理を施すことで互い接合することができ、さらに、打撃によって生じる衝撃および応力が接合体の接合面に対して影響を与えないヘッド構造を提供する。【解決手段】１つの本体部２１、１つの打面部２２および１つシャフト接合部２２４を含むゴルフクラブのヘッド構造であって、前記本体部が１つ第一接合面および当該１つ第一接合面２１１と当該本体部とから形成される１つ第一曲げ角度２１２を有し、前記打面部が１つ打面、および、当該打面との間に緩衝区域を有し、前記打面部の表面とで１つ第二の曲げ角度２２２を形成し、前記第一接合面と同一平面において当接される１つ第二の接合面２２１を有し、前記シャフト接合部が１つシャフトと接合するために前記本体部の上もしくは前記打面部の上に形成される、ゴルフクラブのヘッド構造を提供する。【選択図】図２Ａ
0003139082.tif 000002
【実用新案登録請求の範囲】
【請求項１】
１つの本体部、１つの打面部および１つシャフト接合部を含むゴルフクラブのヘッド構造であって、前記本体部が１つ第一接合面および当該１つ第一接合面と当該本体部とから形成される１つ第一曲げ角度を有し、前記打面部が１つ打面、および、当該打面との間に緩衝区域を有し、前記打面部の表面とで１つ第二の曲げ角度を形成し、前記第一接合面と同一平面において当接される１つ第二の接合面を有し、前記シャフト接合部が１つシャフトと接合するために前記本体部の上もしくは前記打面部の上に形成される、ゴルフクラブのヘッド構造。
【請求項２】
前記第一接合面と前記第二接合面とが前記打面と平行にあることが特徴とする請求項１に記載のゴルフクラブのヘッド構造。
【請求項３】
前記本体部と前記第一接合面とが一体形成される延伸構造であることを特徴とする請求項１に記載のゴルフクラブのヘッド構造。
【請求項４】
前記打面部と前記第二接合面とが一体形成される延伸構造であることを特徴とする請求項１に記載のゴルフクラブのヘッド構造。
【請求項５】
前記第二接合面の淵を安定させるために、前記第一接合面の内側にさらにストッパを有することを特徴とする請求項１に記載のゴルフクラブのヘッド構造。
【請求項６】
前記第一接合面の淵を安定させるために、前記第二接合面の内側にさらにストッパを有することを特徴とする請求項１に記載のゴルフクラブのヘッド構造。
【請求項７】
前記第一接合面と前記第二接合面との接合がロー付け、はんだ付け、もしくは接着によって形成されることを特徴とする請求項１に記載のゴルフクラブのヘッド構造。
【請求項８】
当該ゴルフクラブがウッド、アイアンもしくはパターであることを特徴とする請求項１に記載のゴルフクラブのヘッド構造。
【考案の詳細な説明】
【技術分野】
【０００１】
本考案は、接合式のゴルフクラブヘッドの構造、特に接合体の変形を容易に克服し、打撃による衝撃および応力の影響を受けにくい構造に関する。
【背景技術】
【０００２】
従来、鋳造法によるゴルフクラブのヘッドの製作は、一般的に複数の部材の接合によるもので、その方法には係合方式および当接方式がある。従来の係合方式は図１Ａに示されているように、本体部１０の接合部分および（ゴルフボールを打撃する）打面部の接合部分に、互いに嵌合する本体接合部１１および打面接合部１３が設けられ、それらによって完成品であるヘッド１４を構成する。この接合方式には、鋳造変異などの外部要因によって、本体部および打面部に変形が生じ、上記の２つ接合部分は完全な形で嵌合することができなくなる場合、別途に例えばCNC(Computer Numerical Control:CNC)加工を加えなければならず、時間がかかる上製品の合格率も低いという欠点があった。
【０００３】
図１Ｂでは、本体部１５の上に設けられた接合面１６を打面部１７の背面１８と熔接して接合させてヘッド１９を形成させる別の接合方式が開示されている。この接合方式では、接合面１６がゴルフボールを打撃する打面に近すぎるので、打撃による衝撃およびヘッド１９の変形応力がその接合面１６に集中し熔接した接合面を断裂させてしまう欠点があった。
【０００４】
【特許文献１】2005-241755
【考案の開示】
【考案が解決しようとする課題】
【０００５】
上記欠点を研究した結果、本考案が解決しようとする課題は、鋳造による変異で接合時に変形が生じても、簡単な処理を施すことで互い接合することができ、打撃によって生じる衝撃および応力が接合面に対する影響を与えないヘッド構造の提供にある。
【０００６】
上記問題を解決するためには、本考案が以下の考案（技術手段）、すなわち、１つの本体部、１つの打面部および１つシャフト接合部を含むゴルフクラブのヘッド構造であって、前記本体部が１つ第一接合面および当該１つ第一接合面と当該本体部とから形成される１つ第一曲げ角度を有し、前記打面部が１つ打面、および、当該打面との間に緩衝区域を有し、前記打面部の表面とで１つ第二の曲げ角度を形成し、前記第一接合面と同一平面において当接される１つ第二の接合面を有し、前記シャフト接合部が１つシャフトと接合するために前記本体部の上もしくは前記打面部の上に形成される、ゴルフクラブのヘッド構造を提供する。
【０００７】
本考案は、前記第二接合面が前記打面と平行となり、その構造で打撃によって生じる最大の衝撃および応力を吸収することを特徴とする前記ゴルフクラブのヘッド構造の改良実施態様を提供する。
【０００８】
本考案は、前記本体部と前記第一接合面および／または前記打面部と前記第ニ接合面が一体形成された延伸構造を有することを特徴とする前記ゴルフクラブのヘッド構造の改良実施態様を提供する。
【０００９】
本考案は、前記第二接合面の淵を安定させるために、前記第一接合面内側にさらにストッパを、または、前記第一接合面の淵を安定させるために、前記第ニ接合面内側にさらにストッパを設けることを特徴とする前記ゴルフクラブのヘッド構造の改良実施態様を提供する。
【００１０】
本考案は、前記第一接合面と前記第二接合面との接合がロー付け、はんだ付け、もしくは接着によって形成されることを特徴とする前記ゴルフクラブのヘッド構造の改良実施態様を提供する。
【００１１】
本考案は、前記ゴルフクラブのヘッドがウッド、アイアンもしくはパターであることを特徴とする前記ゴルフクラブのヘッド構造の改良実施態様を提供する。
【考案の効果】
【００１２】
本考案のゴルフクラブのヘッド構造によって以下の効果が生じる。１．従来の係合方式に比べて、本構造では、両接合部分（本体部および打面部）が変形によって、接合ができなくなったときでも、当接する両接合部分を同じ角度でフラット加工工程を加えるだけで完璧な形で接合することできるようになる。特に当接する面が同一平面にあるときはより完璧な接合ができる。したがって、本考案の構造には、伝統とされる従来の成形工程や複雑なCNC(Computer Numerical Control:CNC)加工を必要とせず、コストと時間を節約し、効率を上げるメリットがある。２．本考案のヘッド構造には、接合面と打面部との間では一定の距離があり従来の構造に比べると応力緩衝区域を有するので、打撃時の衝撃を吸収することができ、接合面が断裂しにくいメリットがある。
【実施例】
【００１３】
以下は図面を参照しながら本考案を詳細に説明する。
【００１４】
図Ａ２もしくはＢ２に示したように、ゴルフクラブのヘッド構造の実施例（本実施例はウッド、アイアンもしくはパターに用いることができる）は、１つの本体部２１と１つ打面部２２と１つシャフト接合部とからなる。前記本体部２１が、当該本体部２１の表面から折り曲げ、１つ第一曲げ角度２１２を形成してなる１つ第一接合面２１１（当該第一接合面２１１と当該本体部２１とが鋳型で一体形成されることができる）を含む。前記打面部２２が、１つの打面２２０および１つの第二接合面２２１を有し、当該第二接合面２２１が当該打面２２０との間に１つ緩衝区域２２３を有し、当該打面部２２の表面（当該第二接合面２２１と当該打面部２２とが鋳型で一体形成されることができ、その材質は前記本体部２１と同じ材質でも異なる材質でもよい）と１つ第二曲げ角度２２２を形成し、その当接がロー付け、はんだ付け、もしくは接着によって形成されることができる。前記シャフト接合部が、シャフト２２５が接合できるように、本体部２１の上に設けられる（後述のように打面部２２の上に設けることもできる）。
【００１５】
上記のように、前記本体部２１の第一接合面２１１および前記打面部２２の第二接合面２２１がヘッド２０の表面にないので、両接合面の接合は平面接合となる。仮にそれぞれに作り上げたヘッド２０もしくは打面部２２が鋳造時に生じた変異もしくは別の原因で変形があって互いに合わなくても、両接合面もしくはその中の１つの接合面を同じ角度でフラット工程を加えれば、両接合面が完璧に接合することできる。さらに、本考案の打面部２２の第二接合面２２１が前記打面２２０との間に緩衝区域２２３があるため、打撃時の衝撃で生じる巨大な変形応力の影響を軽減し、その接合部分の断裂を防ぐことができる。
【００１６】
本考案の構造では、前記第一接合面と前記第二接合面とが打面と平行になることが好ましい。この場合にヘッドの構造自身で応力に対抗でき、応力による接合部分の破壊および接合部の断裂を防ぐことができる。
【００１７】
図３および図４に示すように、本考案の構造では、前記第二接合面２２１の淵を安定させるために、前記第一接合面２１１の内側にさらにストッパ２１１１を有する。同時に、前記第一接合面２１１の淵を安定させるために、前記第ニ接合面内側にさらにストッパ２２１１を有する。
【００１８】
図５および図６に示す実施例では、前記本体部２１が前記打面部２２との間に接合面を設ける本考案のゴルフクラブのヘッド構造で、シャフト２２５と接合するシャフト接合部２２４は本体部２１の上のみならず、実際の需要によって、打面２２０を有する打面部２２の上に設けることもできる。
【００１９】
上記実施例の中、そのシャフト接合部２２４は本体部２１また打面部２２のいずれに設置しても、その構造はシャフト２２５と接合させるために、長い接合部、短い接合部、または、本体部２１もしくは打面部２２に嵌め込む形でもよい。
【００２０】
従って、本考案は産業上の利用性、新規性および進歩性を有し、特許要件を満たしている。また、上記実施例は本考案を説明するために列挙した好ましい例に過ぎず、本考案の技術的範囲を限定するものではない。本考案の均等の範囲にある変更もしくは修飾は本考案の範囲に属する。
【図面の簡単な説明】
【００２１】
【図１Ａ】先行技術である係合式による接合ヘッド構造の断面図である。
【図１Ｂ】先行技術である当接式による接合ヘッド構造の断面図である。
【図２Ａ】本考案のゴルフクラブのヘッドの構造の実施例の断面図である。
【図２Ｂ】本考案のゴルフクラブのヘッドの構造の実施例の接合断面図である。
【図３】本考案のゴルフクラブのヘッドの構造のストッパを持つ第一接合面を有する実施例の断面図である。
【図４】本考案のゴルフクラブのヘッドの構造のストッパを持つ第ニ接合面を有する実施例の断面図である
【図５】本考案のゴルフクラブのヘッドの構造の打面部の上にシャフト接合部を有し、シャフトと接合している実施例の断面図である。
【図６】本考案のゴルフクラブのヘッドの構造の打面部の上にシャフト接合部を有し、シャフトと接合している別の実施例の立体図である。
【符号の説明】
【００２２】
２０        ヘッド
２１        本体部
２２        打面部
２１１      第一接合面
２１２      第一曲げ角度
２２０      打面
２２１      第二接合面
２２２      第二曲げ角度
２２３      緩衝区域
２２４      シャフト接合
２２５      シャフト
２１１１    ストッパ
２２１１    ストッパ
【図１Ａ】
0003139082.tif 000003
【図１Ｂ】
0003139082.tif 000004
【図２Ａ】
0003139082.tif 000005
【図２Ｂ】
0003139082.tif 000006
【図３】
0003139082.tif 000007
【図４】
0003139082.tif 000008
【図５】
0003139082.tif 000009
【図６】
0003139082.tif 000010